(57)【特許請求の範囲】
【請求項１】
筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、前記誘引空気混合部に照明手段を備えたことを特徴とする送風装置。
【請求項２】
複数の誘引空気吸込口が吹出口の軸中心から略放射状に備えられたことを特徴とする請求項１に記載の送風装置。
【請求項３】
吸込口と吹出口が対向する位置に略同軸上に備えられたことを特徴とする請求項１または２に記載の送風装置。
【請求項４】
筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とする請求項１乃至３いずれかに記載の送風装置。
【請求項５】
照明手段の照明が指向性を有することを特徴とする請求項１乃至４いずれかに記載の送風装置。
【発明の詳細な説明】
【技術分野】
【０００１】
本発明は、居室内の天井や壁、床面に設置され、直接気流による体感温度の減少や室内の空気の循環に使用される扇風機や天井扇などの送風装置に関するものである。
【背景技術】
【０００２】
従来、この種の送風装置は、羽根車とモータを台座となる基部に内包して、基部上部に備えられた円環形状の送風部から床面と水平方向に吹出すようにて空気の循環及び空気の流れを生じさせる家庭用送風装置が知られている（例えば、特許文献１参照）。
【０００３】
以下、その送風装置について図４および図５を参照しながら説明する。
【０００４】
図４は、送風機組立体１００をその正面から見た投影図を、図５は、送風機組立体１００の断面投影図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００５】
上記構成で、上述した送風機組立体１００は、以下のように動作する。
【０００６】
ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００７】
空気流は、これが口１１２に入る際に絞られ、そして口１１２の出口１４４のところで更に絞られる。この絞りにより、システム中に圧力が生じる。
【０００８】
このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【０００９】
【特許文献１】特開２０１０−０７７９６９号公報
【発明の概要】
【発明が解決しようとする課題】
【００１０】
このような従来の送風装置では、羽根車が内包されており羽根車を目視できないため、離れた場所から送風装置の運転／停止が確認できないという課題があった。
【００１１】
そこで本発明は、上記従来の課題を解決するものであり、羽根車を内包することで接触による不安感をなくしつつ、離れた場所からでも送風装置の運転／停止を容易に判別可能な送風装置を提供することを目的とする。
【課題を解決するための手段】
【００１２】
そして、この目的を達成するために、本発明は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、前記誘引空気混合部に照明手段を備えたことを特徴とする送風装置としたものであり、これにより所期の目的を達成するものである。
【発明の効果】
【００１３】
本発明によれば、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、前記誘引空気混合部に照明手段を備えたことを特徴とする送風装置であって、前記第二風路内に照明手段を備えたことを特徴としたことにより、羽根車を内包することで接触による不安感をなくしつつ、離れた場所からでも送風装置の運転／停止を容易に判別することができる。
【００１４】
さらに、照明手段は前記第二風路内に設けられているため、前記第二風路内を通過する空気により効率よく冷却されるため、照明手段が熱により劣化することを防止でき、長期間安定して機器を使用することができるものである。
【図面の簡単な説明】
【００１５】
【図１】本発明の実施の形態１の送風装置の斜視図
【図２】本発明の実施の形態１の送風装置の断面を示す構成図
【図３】（ａ）本発明の実施の形態２の送風装置の斜視図、（ｂ）同送風装置の断面を示す構成図
【図４】従来技術の一例を示す正面図
【図５】従来技術の一例を示す断面を示す構成図
【発明を実施するための形態】
【００１６】
本発明の請求項１記載の送風装置は、筐体に、空気を取り入れる吸込口と、高圧空気を発生するための羽根車と前記羽根車を駆動するためのモータで構成された高圧空気発生手段と、高圧空気を吹出すための環形状の吹出口と、高圧空気を前記羽根車から前記吹出口に導く第一風路と、前記吹出口から吹出す空気に誘引されて空気を吸込む複数の誘引空気吸込口と、複数の前記誘引空気吸込口に吸込まれた空気を混合する誘引空気混合部と、誘引された空気を吹出す誘引空気吹出口と、前記誘引空気吸込口と前記誘引空気混合部と前記誘引空気吹出口を連通する第二風路を備えた送風装置であって、前記誘引空気混合部に照明手段を備えたことを特徴とするものである。
【００１７】
これにより、羽根車を内包することで接触による不安感をなくしつつ、離れた場所からでも送風装置の運転／停止を容易に判別することができる。また、空気は前記第二風路から前記誘引空気吹出口を経て吹出されるため、照明手段が発する光により気流が前記誘引空気吹出口から、どの方向に流れているかを容易に判別することができる。
【００１８】
さらに、照明手段は前記誘引空気混合部に設けられているため、前記誘引空気混合部で混合される空気により効率よく冷却されるため、照明手段が熱により劣化することを防止でき、長期間安定して機器を使用することができるものである。また、誘引空気吸込口が複数あるため、一つの誘引空気吸込口が塞がれるような使用状態でも、他の誘引空気吸込口から空気を誘引できるため性能を発揮することができる。
【００１９】
また、複数の誘引空気吸込口が吹出口の軸中心から略放射状に備えられたことを特徴とするもので、複数の誘引空気吸込口から誘引された空気は、複数の誘引空気吸込口が軸中心から略放射状に備えられているため、誘引空気混合部の中心部で効率よく混合されるため、誘引空気混合部に設けられた照明手段を効率よく冷却できるため、照明手段が熱により劣化することを防止でき、長期間安定して機器を使用することができるものである。
【００２０】
また、吸込口と吹出口が対向する位置に略同軸上に備えられたことを特徴とするもので、吸込口と吹出口の距離が離れるため、照明手段を冷却した温かい吹出した空気が吸込口に再び吸込まれることを防ぐことができ、効率よく照明手段を冷却することができる。
【００２１】
また、筐体が外壁と内壁の二重壁を備え、第二風路は第一風路を貫通壁で貫通するように備えられ、前記第一風路は前記外壁と前記内壁と前記貫通壁で構成され、前記第二風路は前記内壁と前記貫通壁で構成され、前記誘引空気吹出口は前記内壁で構成されていることを特徴とするもので、複数の誘引空気吸込口から誘引された空気は、誘引空気混合部の中心部で効率よく混合されるため、誘引空気混合部に設けられた照明手段を効率よく冷却できるため、照明手段が熱により劣化することを防止でき、長期間安定して機器を使用することができるものである。
【００２２】
また、照明手段の照明が指向性を有することを特徴とするもので、送風装置から吹出される気流は、誘引空気吹出口からまとまった状態で吹出され、吹出された空気は中心部にコア領域が形成されるため直進性に優れ、遠方まで風速の減衰が少なく到達する指向性のある気流であるため、照明が指向性を有することで、気流の方向と照明の方向が一義に決まり、照明を目視することで気流の方向を容易に確認することができ、照明の方向を調整することで容易に気流を任意の場所に当てられるよう送風装置を設置することができるものである。
【００２３】
以下、本発明の実施の形態について図面を参照しながら説明する。
【００２４】
（実施の形態１）
図１に斜視図を、図２に断面Ｘでの断面を示す構成図を示すように、送風装置１１は、球形状の筐体１２が外壁１３と内壁１４の二重壁を備え、空気を取り入れる吸込口１５と、高圧空気を発生するための羽根車１６と羽根車１６を駆動するためのモータ１７で構成された高圧空気発生手段１８と、高圧空気を吹出すための環形状の吹出口１９と、高圧空気を羽根車１６から吹出口１９に導く第一風路２０と、吹出口１９から吹出す空気に誘引されて空気を吸込む複数（本実施形態では６個）の誘引空気吸込口２１と、複数の誘引空気吸込口２１に吸込まれた空気を混合する誘引空気混合部２２と、誘引された空気を吹出す誘引空気吹出口２３と、誘引空気吸込口２１と誘引空気混合部２２と誘引空気吹出口２３を連通する第二風路２４で構成され、第二風路２４内の誘引空気混合部２２に照明手段としてのＬＥＤライトユニット２６を備えるものである。ここで、高圧空気とは大気圧以上の空気を示すものとする。
【００２５】
また、第二風路２４は第一風路２０を貫通壁２５で貫通するように備えられ、第一風路２０は外壁１３と内壁１４と貫通壁２５で構成され、第二風路２４は内壁１４と貫通壁２５で構成され、誘引空気吹出口２３は吹出口１９の内環を構成する内壁１４に囲まれて構成されるものである。
【００２６】
ここで、複数の誘引空気吸込口２１は吹出口１９の軸中心から放射状に備えられており、吸込口１５と吹出口１９が対向する位置に筐体１２の球形状の中心を通る同軸上に備えられた構成となっている。また、本実施形態では筐体１２を球形状で表したが、筐体１２の形状としては特にこれに限定されるものではなく、多面体形状（正多面体や切頂多面体）、円柱形状、多角柱形状、有機的なフォルム形状など自由に選択することができる。
【００２７】
また、吹出口１９の環形状とは円に限定されるものではなく、環になっていれば多角形や曲線で構成された形状であってもよい。また環形状は性能に影響が出ない範囲であればリブなどにより部分的に途切れることがあっても問題はない。
【００２８】
このような構成によれば、羽根車１６が送風装置１１の外部から接触できないよう筐体１２内に内包されているため羽根車１６に接触して怪我をするという不安を抱くことなく安心して使用でき、離れた場所からでも送風装置１１の運転／停止を容易に判別することができる。また、空気は第二風路２４から誘引空気吹出口２３を経て吹出されるため、ＬＥＤライトユニット２６が発する光により気流が誘引空気吹出口２３から、どの方向に流れているかを容易に判別することができるものである。
【００２９】
また、ＬＥＤライトユニット２６は誘引空気混合部２２に設けられており、複数の誘引空気吸込口２１から誘引された空気は、複数の誘引空気吸込口２１が軸中心から略放射状に備えられているため、誘引空気混合部２２の中心部で効率よく混合され、誘引空気混合部２２で混合される空気により効率よく冷却される。
【００３０】
これにより、ＬＥＤライトユニット２６が熱により劣化することを防止でき、長期間安定して機器を使用することができるものである。
【００３１】
また、誘引空気吸込口２１が複数あるため、一つの誘引空気吸込口２１が塞がれるような使用状態でも、他の誘引空気吸込口２１から空気を誘引できるため性能を発揮することができる。また、ＬＥＤライトユニット２６として広角に光を出せるものを使用すれば、誘引空気吸込口２１からも光が漏れるため、送風装置１１を室内での間接照明としても使用することができる。
【００３２】
また、吸込口１５と吹出口１９が対向する位置に同軸上に備えられたことで、吸込口１５と吹出口１９の距離が離れるため、ＬＥＤライトユニット２６を冷却した温かい吹出した空気が吸込口１５に再び吸込まれることを防ぐことができ、効率よく照明手段を冷却することができる。
【００３３】
なお、本実施形態では複数の誘引空気吸込口２１の場合を示したが、誘引空気吸込口２１がひとつであっても上記の「誘引空気吸込口２１が複数ある」効果以外は、同様の効果が得られるものである。
【００３４】
（実施の形態２）
図３（ａ）に斜視図を、図３（ｂ）に天井面に垂直な断面Ｙでの断面図を示すように、送風装置３１は、天井面３２に可動アーム３３を介して設置されている。ここで送風装置３１は、可動アーム３３により方向が自由に変えられるものである。
【００３５】
送風装置３１は、円筒形状の筐体３４が外壁３５と内壁３６の二重壁を備え、空気を取り入れる吸込口３７と、高圧空気を発生するための羽根車３８と羽根車３８を駆動するためのモータ３９で構成された高圧空気発生手段４０と、高圧空気を吹出すための環形状の吹出口４１と、高圧空気を羽根車３８から吹出口４１に導く第一風路４２と、吹出口４１から吹出す空気に誘引されて空気を吸込む複数（本実施形態では５個）の誘引空気吸込口４３と、複数の誘引空気吸込口４３に吸込まれた空気を混合する誘引空気混合部４４と、誘引された空気を吹出す誘引空気吹出口４５と、誘引空気吸込口４３と誘引空気混合部４４と誘引空気吹出口４５を連通する第二風路４６で構成され、第二風路４６内の誘引空気混合部４４に照明手段としてのＬＥＤライトユニット４７を備えるものである。ここで、高圧空気とは大気圧以上の空気を示すものとする。
【００３６】
送風装置３１に備えられたＬＥＤライトユニット４７は指向性をもつ照明となっており、ここでは一例として照明方向４８と送風方向４９が同一方向に設定されているものである。
【００３７】
このような構成によれば、ＬＥＤライトユニット４７の照明が指向性を有することで、送風装置３１から吹出される気流は、吹出された空気は中心部にコア領域が形成されるため直進性に優れ、遠方まで風速の減衰が少なく到達する指向性のある気流であるため、照明が指向性を有することで、気流の方向と照明の方向が一義に決まり、照明を目視することで気流の方向を容易に確認することができ、照明の方向を調整することで容易に気流を任意の場所に当てられるよう送風装置３１を設置することができるものである。
【００３８】
また、ここでは一例として照明方向４８と送風方向４９が同一方向の場合を示したが、ＬＥＤライトユニット４７の設置場所をずらしたり傾斜させたりして、照明方向４８と送風方向４９を任意にずらすことができるので、たとえばキッチンで送風装置３１を使用する場合には照明を手元に、気流を使用者に当てるということも可能である。
【産業上の利用可能性】
【００３９】
本発明にかかる送風装置は、羽根車を内包することで接触による不安感をなくしつつ、離れた場所からでも運転／停止を容易に判別可能な送風装置を提供できるため、居室内の床、机上、天井や壁に設置され、直接気流による体感温度の減少や室内の空気の循環に使用される各種送風機器等や照明機器として有用である。
【符号の説明】
【００４０】
１１  送風装置
１２  筐体
１３  外壁
１４  内壁
１５  吸込口
１６  羽根車
１７  モータ
１８  高圧空気発生手段
１９  吹出口
２０  第一風路
２１  誘引空気吸込口
２２  誘引空気混合部
２３  誘引空気吹出口
２４  第二風路
２５  貫通壁
２６  ＬＥＤライトユニット
３１  送風装置
３２  天井面
３３  可動アーム
３４  筐体
３５  外壁
３６  内壁
３７  吸込口
３８  羽根車
３９  モータ
４０  高圧空気発生手段
４１  吹出口
４２  第一風路
４３  誘引空気吸込口
４４  誘引空気混合部
４５  誘引空気吹出口
４６  第二風路
４７  ＬＥＤライトユニット
４８  照明方向
４９  送風方向
１００  送風機組立体
１０１  環状ノズル
１０２  中央開口部
１１０  内部通路
１１２  口
１１６  基部
１１８  外側ケーシング
１２０  選択ボタン
１２２  モータ
１２４  空気入口
１２６  モータハウジング
１３０  インペラ
１３２  ディフューザ
１３４  入口
１３６  出口
１４４  出口
１４８  ガイド部分
【図１】
0005768220.tif 000002
【図２】
0005768220.tif 000003
【図３】
0005768220.tif 000004
【図４】
0005768220.tif 000005
【図５】
0005768220.tif 000006